(57)【要約】【課題】投影面上のフリッカを低減する。【解決手段】光変調素子により照明光を変調して画像を投影する投影装置１は、光源部１０と、光源部１０からの青色光の少なくとも一部を青色光とは波長が異なる黄色光に変換する波長変換素子である蛍光体１２と、外部から投影装置１に供給される電力の周波数である電力周波数を検出する周波数検出部１７と、周波数検出部１７が検出した電力周波数に基づいて決定した回転周波数により蛍光体１２を回転させる制御部１９と、光源部１０からの青色光の一部と蛍光体１２により変換された黄色光を光変調素子により変調した画像光を投影する投影部１５とを有する。【選択図】図１
2019148669.tif 000002
【特許請求の範囲】
【請求項１】
光変調素子により照明光を変調して画像を投影する投影装置であって、
光源と、
前記光源からの第１の光の少なくとも一部を該第１の光とは波長が異なる第２の光に変換する波長変換素子と、
外部から前記投影装置に供給される電力の周波数である電力周波数を検出する周波数検出手段と、
前記周波数検出手段が検出した前記電力周波数に基づいて決定した回転周波数により前記波長変換素子を回転させる制御手段と、
前記光源からの第１の光の一部と前記波長変換素子により変換された第２の光を前記光変調素子により変調した画像光を投影する投影手段と、
を有することを特徴とする投影装置。
【請求項２】
前記制御手段は、前記電力周波数の整数倍の周波数で前記波長変換素子を回転させる、又は、当該周波数より大きい所定の周波数範囲及び当該周波数より小さい前記所定の周波数範囲に含まれない前記回転周波数により前記波長変換素子を回転させることを特徴とする、
請求項１に記載の投影装置。
【請求項３】
前記制御手段は、前記電力周波数の整数倍の周波数で前記波長変換素子を回転させる、又は、当該周波数より大きい前記投影手段が投影する光にフリッカが発生するフリッカ発生周波数範囲及び当該周波数より小さい前記フリッカ発生周波数範囲に含まれない前記回転周波数により前記波長変換素子を回転させることを特徴とする、
請求項１又は２に記載の投影装置。
【請求項４】
前記制御手段は、前記電力周波数の整数倍の周波数よりも２０Ｈｚ以上低い周波数、又は前記電力周波数の整数倍の周波数よりも２０Ｈｚ以上高い前記回転周波数で前記波長変換素子を回転させることを特徴とする、
請求項１から３のいずれか一項に記載の投影装置。
【請求項５】
前記光源の光量と、前記波長変換素子を回転させる周波数の初期値である初期周波数とを関連付けて記憶する記憶手段をさらに有し、
前記制御手段は、前記記憶手段に記憶された前記初期周波数と前記電力周波数との関係に基づいて決定した前記回転周波数で前記波長変換素子を回転させることを特徴とする、
請求項１から４のいずれか一項に記載の投影装置。
【請求項６】
前記制御手段は、前記光量に関連付けて前記記憶手段に記憶された前記初期周波数が前記電力周波数の整数倍の周波数よりも高く、かつ前記電力周波数の整数倍の周波数から所定の周波数範囲内である場合、前記所定の周波数範囲よりも高い前記回転周波数で前記波長変換素子を回転させることを特徴とする、
請求項５に記載の投影装置。
【請求項７】
前記制御手段は、前記光量に関連付けて前記記憶手段に記憶された前記初期周波数が前記電力周波数の整数倍の周波数以下であり、かつ前記電力周波数の整数倍の周波数から所定の周波数範囲内である場合、前記電力周波数の整数倍の前記回転周波数で前記波長変換素子を回転させることを特徴とする、
請求項６に記載の投影装置。
【請求項８】
前記制御手段は、前記光量に関連付けて前記記憶手段に記憶された前記初期周波数が前記電力周波数の整数倍の周波数以上であり、かつ前記電力周波数の整数倍の周波数から所定の周波数範囲内である場合、前記電力周波数の整数倍の前記回転周波数で前記波長変換素子を回転させることを特徴とする、
請求項５に記載の投影装置。
【請求項９】
前記制御手段は、前記光量に関連付けて前記記憶手段に記憶された前記初期周波数が前記電力周波数の整数倍の周波数未満であり、かつ前記電力周波数の整数倍の周波数から所定の周波数範囲内である場合、前記所定の周波数範囲未満の前記回転周波数で前記波長変換素子を回転させることを特徴とする、
請求項８に記載の投影装置。
【請求項１０】
前記波長変換素子を冷却する冷却手段をさらに有し、
前記制御手段は、前記回転周波数が前記初期周波数未満である場合に、前記回転周波数が前記初期周波数よりも高い場合に比べて高い冷却性能で前記波長変換素子を冷却するように前記冷却手段を制御することを特徴とする、
請求項５から９のいずれか一項に記載の投影装置。
【請求項１１】
前記波長変換素子を冷却する冷却手段をさらに有し、
前記記憶手段は、前記光量に関連付けて前記冷却手段による初期冷却性能を記憶し、
前記制御手段は、前記回転周波数が前記初期周波数未満である場合に、前記初期冷却性能よりも高い性能で前記波長変換素子を冷却するように前記冷却手段を制御することを特徴とする、
請求項５から９のいずれか一項に記載の投影装置。
【請求項１２】
前記制御手段は、前記電力周波数の整数倍の前記回転周波数で前記波長変換素子を回転させることを特徴とする、
請求項１に記載の投影装置。
【発明の詳細な説明】
【技術分野】
【０００１】
本発明は、投影装置に関する。
【背景技術】
【０００２】
光源にレーザを用いる投影装置において、蛍光体等の波長変換素子に光源が発する光を照射して光の波長を変化させる技術が知られている。蛍光体に光を照射する場合、レンズ等を用いて光を収束させることにより、蛍光体が高温になる。蛍光体の温度が蛍光体の耐熱温度以上になることを抑制するために、蛍光体を塗布した回転板（以下、蛍光体という）を回転させて放熱を行う手法がある。蛍光体を回転させた状態で光を照射すると、蛍光体の回転周波数に応じたフリッカが発生することがある。
【０００３】
一般的な投影装置において、フリッカを視認できない回転数で蛍光体を回転させているが、蛍光体の回転数と、光源のＰＷＭ（Pulse Width Modulation）制御の周波数との組み合わせにより、投影画面上にノイズ（例えば横筋）が発生する場合がある。特許文献１には、蛍光体の回転周波数と、光源のＰＷＭ制御の周波数とを制御し、回転周波数と光源の周波数との組み合わせで発生する画面上のノイズを低減する技術が開示されている。
【先行技術文献】
【特許文献】
【０００４】
【特許文献１】特開２０１２−１０３３９８号公報
【発明の概要】
【発明が解決しようとする課題】
【０００５】
ところで、商用電源の周波数に同期した電圧リプルの影響で、投影装置の各部の電圧が変動し、商用電源の周波数に同期して光源の光量が変動する場合がある。このような場合、特許文献１に開示された技術を用いたとしても、商用電源の電圧リプルの影響に伴うフリッカが発生してしまうという問題が生じていた。
【０００６】
そこで、本発明はこれらの点に鑑みてなされたものであり、投影面上のフリッカを低減することができる投影装置を提供することを目的とする。
【課題を解決するための手段】
【０００７】
本発明の投影装置は、光変調素子により照明光を変調して画像を投影する投影装置であって、光源と、前記光源からの第１の光の少なくとも一部を該第１の光とは波長が異なる第２の光に変換する波長変換素子と、外部から前記投影装置に供給される電力の周波数である電力周波数を検出する周波数検出手段と、前記周波数検出手段が検出した前記電力周波数に基づいて決定した回転周波数により前記波長変換素子を回転させる制御手段と、前記光源からの第１の光の一部と前記波長変換素子により変換された第２の光を前記光変調素子により変調した画像光を投影する投影手段と、を有することを特徴とする。
【発明の効果】
【０００８】
本発明によれば、投影面上のフリッカを低減することができるという効果を奏する。
【図面の簡単な説明】
【０００９】
【図１】投影装置の機能構成を示す図である。
【図２】蛍光体周辺部の構成を示す図である。
【図３】光源部の光量と蛍光体の回転周波数との関係を説明するための図である。
【図４】投影装置が実行する処理のフローチャートである。
【図５】第２の実施形態における光源部の光量と蛍光体の回転周波数との関係を説明するための図である。
【図６】第２の実施形態に係る投影装置が実行する処理のフローチャートである。
【発明を実施するための形態】
【００１０】
＜第１の実施形態＞
［投影装置の概要］
商用電源の電圧リプルの影響に伴うフリッカは、蛍光体の回転数に対応する回転周波数が商用電源の周波数の整数倍の周波数と一致する場合、又は回転周波数が電力周波数から所定の周波数範囲内に含まれない場合、人に認識されにくい。そこで、第１の実施形態に係る投影装置は、商用電源の周波数を検出し、商用電源の周波数の整数倍の周波数、又は回転周波数が商用電源の周波数から所定の周波数範囲に含まれない周波数で回転させる。このようにすることで、投影装置は、商用電源の電圧リプルの影響に伴うフリッカが人に認識されにくい周波数で蛍光体を回転させることができる。その結果、投影装置は投影面上のフリッカを低減できる。
【００１１】
なお、本実施形態においては、投影装置に電力を供給する電源として商用電源を想定している。そのため、電圧リプルは、商用電源の周波数成分（５０Ｈｚ又は６０Ｈｚ）に起因するＡＣ（Alternating Current）リプルであるものとして説明とする。
【００１２】
［投影装置１の機能構成］
図１は、投影装置１の機能構成を示す図である。投影装置１は、光源部１０と、光源駆動部１１と、蛍光体１２と、蛍光体駆動部１３と、冷却部１４と、投影部１５と、電源部１６と、周波数検出部１７と、記憶部１８と、制御部１９とを備える。
【００１３】
光源部１０は、光を発する光源である。光源部１０は、例えば青色レーザダイオードを有するレーザ発振器であり、青色光を発する。光源駆動部１１は、光源部１０を駆動して光源部１０を発光させる。
【００１４】
蛍光体１２は、光源部１０からの第１の光である青色光の少なくとも一部を青色光とは波長が異なる第２の光である黄色光に変換する波長変換素子である。蛍光体１２は、例えば、光の波長を変化させる蛍光体粒子をバインダーに混ぜ、金属基盤に塗布した蛍光体ホイールである。蛍光体１２は、蛍光体１２に光が入射すると、入射した光の波長と異なる蛍光を発する。本実施形態における蛍光体１２は、光源部１０が発した青色光と異なる黄色光を発する。蛍光体１２は、蛍光体駆動部１３に接続され、蛍光体駆動部１３が駆動することにより回転する。
蛍光体駆動部１３は、蛍光体１２を回転させるデバイスであり、例えばモーターである。
【００１５】
冷却部１４は、蛍光体１２に向けて送風することにより蛍光体１２を冷却する。冷却部１４は、例えば送風ファンである。
【００１６】
投影部１５は、液晶パネルやデジタルミラーデバイス（ＤＭＤ）などの光変調素子、複数のレンズを含む投影光学系、及び複数のレンズそれぞれを駆動する複数のアクチュエータを有する。投影部１５は、光源部１０からの第１の光の一部と蛍光体１２により変換された第２の光（照明光）を光変調素子により変調して生成した画像光（合成光）を、投影光学系を通して投影することにより画像を投影する投影手段である。
【００１７】
ここで、図１において破線で囲った蛍光体周辺部Ａの構成について説明する。図２は、蛍光体周辺部Ａの構成を示す図である。光学系ＯＳは、複数のレンズと、複数のミラーＭ１及びＭ２とを備える。ミラーＭ１は、光源部１０が発した青色光の一部を透過させ、青色光の一部を反射する。また、ミラーＭ１は、青色ではない色の光を反射する。
【００１８】
光源部１０から発した青色光の一部は、複数のレンズとミラーＭ１とを通過して蛍光体１２に入射する。また、ミラーＭ１で透過せずにミラーＭ１で反射された青色光はミラーＭ２に入射する。蛍光体１２に入射した青色光の一部は、蛍光体１２により波長が変換され、黄色光に変換される。変換された黄色光は、ミラーＭ１で反射されてミラーＭ２に入射する。ミラーＭ２に入射する青色光及び黄色光は、合成されて白色光となる。合成された白色光は、投影部１５に入射する。そして、投影部１５は、蛍光体１２により光源部１０を発した光の波長が変化した後の黄色光と、光源部１０が発した青色光とが合成された白色光を用いて画像を投影する。
【００１９】
電源部１６は、商用電源を所定の電圧に変換し、投影装置１の各部に電力を供給する。例えば、電源部１６は、商用電源の電圧を光源部１０の定格電圧に変換した電力を光源部１０に供給する。周波数検出部１７は、外部から投影装置１に供給される電力の周波数である電力周波数を検出する。以下の説明においては、周波数検出部１７は、電力周波数として５０Ｈｚを検出したものとする。
【００２０】
記憶部１８は、ＲＯＭ（Read Only Memory）及びＲＡＭ（Random Access Memory）等を含む記憶媒体である。記憶部１８は、制御部１９が実行するプログラムを記憶する。また、記憶部１８は、光源部１０の光量と、蛍光体１２を回転させる周波数の初期値である初期周波数とを関連付けて記憶する。
【００２１】
制御部１９は、例えばＣＰＵ（Central Processing Unit）である。制御部１９は、記憶部１８に記憶されたプログラムを実行することにより、投影装置１の各部を制御する。制御部１９は、光源部１０の駆動電力設定値を取得し、取得した駆動電力設定値に基づいて光源駆動部１１を制御することにより、駆動電力設定値に対応する光量の光を光源部１０に発生させる。制御部１９は、蛍光体１２の回転周波数と光源部１０が発する光の光量とに基づく冷却性能で冷却するように冷却部１４を制御する。例えば、制御部１９は、光源部１０の光量が大きいほど高い冷却性能で蛍光体１２を冷却するように冷却部１４を制御する。
【００２２】
制御部１９は、蛍光体駆動部１３を制御して、蛍光体１２を回転させる。制御部１９は、周波数検出部１７が検出した電力周波数に基づいて決定した回転周波数により蛍光体１２を回転させる。例えば、制御部１９は、電力周波数の整数倍の周波数で蛍光体１２を回転させる。また、制御部１９は、電力周波数の整数倍の周波数より大きい所定の周波数範囲及び当該周波数より小さい所定の周波数範囲に含まれない回転周波数により蛍光体１２を回転させる。所定の周波数範囲は、例えば、投影部１５が投影する光にフリッカが発生するフリッカ発生周波数範囲である。フリッカ発生周波数は、電力周波数の整数倍の周波数より２０Ｈｚ低い周波数以上、電力周波数の整数倍の周波数より２０Ｈｚ高い周波数以下の周波数である。制御部１９は、電力周波数の整数倍の周波数よりも２０Ｈｚ以上低い周波数、又は電力周波数の整数倍の周波数よりも２０Ｈｚ以上高い回転周波数で蛍光体１２を回転させる。このようにすることで、制御部１９は、商用電源の電圧リプルの影響に伴うフリッカが人に認識されない周波数で蛍光体１２を回転させることができる。
【００２３】
制御部１９は、光源部１０の光量に関連付けられた蛍光体１２の初期周波数が記憶部１８に記憶されている場合、初期周波数以上の回転周波数で蛍光体１２を回転させる。例えば、制御部１９は、蛍光体１２の初期周波数と電力周波数との関係に基づいて、初期周波数以上の回転周波数で回転させる。具体的には、制御部１９は、初期周波数と電力周波数との関係に基づいて回転周波数で回転させる。より具体的には、制御部１９は、初期周波数が電力周波数の整数倍の周波数よりも高く、かつ電力周波数の整数倍の周波数から所定の周波数範囲内である場合、回転周波数を所定の周波数範囲よりも高い周波数で回転させる。また、制御部１９は、初期周波数が電力周波数の整数倍の周波数以下であり、かつ電力周波数の整数倍の周波数から所定の周波数範囲内である場合、回転周波数を電力周波数の整数倍の周波数で回転させる。
【００２４】
図３は、光源部１０の光量と蛍光体１２の回転周波数との関係を説明するための図である。図３において、横軸は光量を示し、縦軸は回転周波数を示す。図３において、電力周波数（５０Ｈｚ）の整数倍（図３においては２倍）の周波数（１００Ｈｚ）を１点鎖線で示す。また、図３において、電力周波数の整数倍の周波数（１００Ｈｚ）より所定の周波数（２０Ｈｚ）低い周波数（８０Ｈｚ）と、電力周波数の整数倍の周波数（１００Ｈｚ）より所定の周波数（２０Ｈｚ）高い周波数（１２０Ｈｚ）とを２点鎖線で示す。図３の破線Ｒは、光量に関連付けて記憶部１８に記憶された蛍光体１２の初期周波数を示すグラフである。図３において、実線は、蛍光体１２の回転周波数を示すグラフである。
【００２５】
図３の中括弧で示す領域Ｌ１は、初期周波数が１００Ｈｚよりも高く、かつ１２０Ｈｚ以下である領域を示す。また、中括弧で示す領域Ｌ２は、初期周波数が１００Ｈｚ以下であり、かつ８０Ｈｚより大きい領域を示す。
【００２６】
制御部１９は、初期周波数が領域Ｌ１内である場合、図３の実線で示すように、蛍光体１２を１２０Ｈｚで回転させる。制御部１９は、初期周波数が領域Ｌ１内である場合に、１２０Ｈｚよりも高く、かつ電力周波数の３倍の周波数（１５０Ｈｚ）より２０Ｈｚ低い１３０Ｈｚ未満の周波数で蛍光体１２を回転させてもよい。制御部１９は、初期周波数が領域Ｌ２内である場合、図３の実線で示すように、蛍光体１２を電力周波数の整数倍の周波数である１００Ｈｚで回転させる。このようにすることで、制御部１９は、商用電源の電圧リプルの影響に伴うフリッカが人に認識されない回転周波数で蛍光体１２を回転させることができ、投影面上のフリッカの発生を低減できる。
【００２７】
［投影装置１が実行する処理］
以下、図４を参照しながら投影装置１が実行する処理の流れを説明する。図４は、投影装置１が実行する処理のフローチャートである。
【００２８】
ステップＳ１において、制御部１９は、投影装置１の光源部１０を点灯させる点灯指示があるか否かを判定する。制御部１９は、点灯指示がない場合（ステップＳ１でＮｏ）、点灯指示があるまで待機する。制御部１９は、点灯指示がある場合（ステップＳ１でＹｅｓ）、ステップＳ２に移行する。
【００２９】
ステップＳ２において、制御部１９は、周波数検出部１７に商用電源の電力周波数を検出させる。ステップＳ３において、制御部１９は、光源部１０の光量に対応する駆動電力設定値を取得する。そして、ステップＳ４において、制御部１９は、蛍光体１２の回転周波数を、取得した駆動電力設定値に対応する光量に関連付けられた初期周波数に設定する。
【００３０】
続いて、ステップＳ５において、制御部１９は、決定した回転周波数が、検出した電力周波数の整数倍の周波数より大きく、かつ電力周波数の整数倍の周波数に対して２０Ｈｚ以下の周波数範囲内であるか否かを判定する。制御部１９は、周波数範囲内であると判定すると（ステップＳ５でＹｅｓ）、ステップＳ６に移行する。ステップＳ６において、制御部１９は、蛍光体１２の回転周波数を電力周波数の整数倍の周波数に対して２０Ｈｚ高い周波数に変更し、ステップＳ９に移行する。
【００３１】
制御部１９は、周波数範囲内ではないと判定すると（ステップＳ５でＮｏ）、ステップＳ７に移行する。ステップＳ７において、制御部１９は、決定した回転周波数が、検出した電力周波数の整数倍の周波数以下、かつ電力周波数の整数倍の周波数に対して２０Ｈｚ以内の周波数範囲内であるか否かを判定する。制御部１９は、周波数範囲内であると判定すると（ステップＳ７でＹｅｓ）、ステップＳ８に移行する。ステップＳ８において、制御部１９は、蛍光体１２の回転周波数を電力周波数の整数倍の周波数に変更し、ステップＳ９に移行する。制御部１９は、周波数範囲内ではないと判定すると（ステップＳ７でＮｏ）、ステップＳ９に移行する。
【００３２】
ステップＳ９において、制御部１９は、設定された回転周波数で蛍光体１２を回転させる。次に、ステップＳ１０において、制御部１９は、蛍光体１２の回転周波数と光源部１０の駆動電力設定値とに基づく冷却性能で冷却するように冷却部１４を制御する。続いて、ステップＳ１１において、制御部１９は、光源駆動部１１を制御して、取得した駆動電力設定値で光源部１０を点灯させる。
【００３３】
そして、ステップＳ１２において、制御部１９は、光源部１０の消灯指示の有無を判定する。制御部１９は、消灯指示がないと判定すると（ステップＳ１２でＮｏ）、ステップＳ２に移行する。制御部１９は、消灯指示があると判定すると（ステップＳ１２でＹｅｓ）、光源駆動部１１を制御して光源部１０を消灯させ、本処理を終了する。
【００３４】
（変形例１）
制御部１９は、常に、周波数検出部１７が検出した電力周波数の整数倍の周波数を蛍光体１２の回転周波数に決定してもよい。この場合、制御部１９は、常に電力周波数の整数倍の回転周波数で蛍光体１２を回転させる。このようにすることでも、制御部１９は、フリッカが人に認識されない周波数で蛍光体１２を回転させることができる。
【００３５】
（変形例２）
以上の説明においては、投影装置１に電力を供給する電源が商用電源であるものとしたが、これに限らず、投影装置１に電力を供給する電源は、スイッチング電源であってもよい。この場合、投影装置１は、スイッチング電源のスイッチング周波数を取得し、スイッチング周波数の整数倍の周波数、又はスイッチング周波数から所定の周波数範囲に含まれない周波数で蛍光体１２を回転させる。このようにすることで、投影装置１は、スイッチング周波数に起因するスイッチングリプルの影響に伴うフリッカが人に認識されない周波数で蛍光体１２を回転させることができる。
【００３６】
［第１の実施形態に係る投影装置１の効果］
以上説明したように、第１の実施形態に係る投影装置１は、商用電源の電力周波数を検出し、商用電源の電力周波数の整数倍の周波数で蛍光体を回転させる。または、投影装置は、蛍光体の回転周波数が商用電源の電力周波数から所定の周波数範囲に含まれない回転周波数で蛍光体を回転させる。このように、投影装置は、商用電源の電圧リプルの影響に伴うフリッカが人に認識されない周波数で蛍光体を回転させる。そのため、投影装置は、投影面上のフリッカを低減できる。
【００３７】
＜第２の実施形態＞
第１の実施形態に係る投影装置１は、商用電源の電圧リプルの影響に伴うフリッカが発生させないために、記憶部１８に記憶された初期周波数以上の回転周波数で蛍光体１２を回転させた。これに限らず、投影装置１は、初期周波数以下の回転周波数で蛍光体１２を回転させてもよい。この場合、投影装置１は、蛍光体１２の回転数が減少して放熱能力が低下することにより、蛍光体１２を放熱することができなくなるおそれがある。そこで、第２の実施形態に係る投影装置１は、蛍光体１２の回転周波数が初期周波数未満である場合に、より大きな強度で蛍光体１２を冷却する。このようにすることで、投影装置１は、商用電源の電圧リプルの影響に伴うフリッカが人に認識されることを抑制しながら、蛍光体１２を冷却することができる。
【００３８】
［第２の実施形態に係る投影装置１の機能構成］
以下、第２の実施形態に係る投影装置１の機能構成について、第１の実施形態と異なる点について説明し、同様の点については適宜省略する。
【００３９】
第２の実施形態に係る投影装置１の制御部１９は、光源部１０の光量に関連付けられた蛍光体１２の初期周波数以下の回転周波数で回転させる。例えば、制御部１９は、蛍光体１２の初期周波数と電力周波数との関係に基づいて決定した初期周波数以下の回転周波数で回転させる。具体的には、制御部１９は、蛍光体１２の初期周波数が電力周波数の整数倍の周波数以上であり、かつ電力周波数の整数倍の周波数から所定の周波数範囲内である場合、電力周波数の整数倍の回転周波数で蛍光体１２を回転させる。また、制御部１９は、初期周波数が電力周波数の整数倍の周波数未満であり、かつ電力周波数の整数倍の周波数から所定の周波数範囲内である場合、所定の周波数範囲未満の回転周波数で回転させる。
【００４０】
制御部１９は、蛍光体１２の回転周波数と光源部１０の光量とに基づく冷却設定で冷却部１４を制御する。例えば、制御部１９は、蛍光体１２の回転周波数が初期周波数未満である場合に、回転周波数が初期周波数よりも高い場合に比べて大きな強度で波長変換素子を冷却するように冷却部１４を制御する。具体的には、制御部１９は、回転周波数が初期周波数未満である場合に、記憶部１８に記憶された光量に関連付けられた冷却部１４による初期冷却性能よりも高い性能で蛍光体１２を冷却するように冷却部１４を制御する。より具体的には、制御部１９は、初期冷却性能に対応するファンの回転数よりも大きな回転数で冷却部１４を回転させる。
【００４１】
図５は、第２の実施形態における光源部１０の光量と蛍光体１２の回転周波数との関係を説明するための図である。図５は、図３と同様の図であるので、図３と異なる点について説明する。
【００４２】
制御部１９は、初期周波数が中括弧Ｌ１で示す領域である場合、図５の実線で示すように、蛍光体１２を電力周波数の整数倍の周波数である１００Ｈｚで回転させる。制御部１９は、初期周波数が中括弧Ｌ２で示す領域である場合、図３の実線で示すように、蛍光体１２を８０Ｈｚで回転させる。制御部１９は、初期周波数が領域Ｌ２内である場合に、８０Ｈｚよりも低く、かつ電力周波数の１倍の周波数（５０Ｈｚ）より２０Ｈｚ高い７０Ｈｚ以上の周波数で蛍光体１２を回転させてもよい。そして、制御部１９は、回転周波数が初期周波数未満である場合、初期冷却性能よりも高い性能で蛍光体１２を冷却するように冷却部１４を制御する。
【００４３】
［第２の実施形態に係る投影装置１が実行する処理］
以下、図６を参照しながら投影装置１が実行する処理の流れを説明する。図６は、第２の実施形態に係る投影装置１が実行する処理のフローチャートである。
【００４４】
ステップＳ２１からステップＳ２４までの処理は、図４のフローチャートのステップＳ１からステップＳ４までの処理と同様なので説明を省略する。
【００４５】
制御部１９は、決定した回転周波数が、検出した電力周波数の整数倍の周波数より大きく、かつ電力周波数の整数倍の周波数から２０Ｈｚ以下の周波数範囲内であるか否かを判定する。制御部１９は、周波数範囲内であると判定すると（ステップＳ２５でＹｅｓ）、ステップＳ２６に移行する。ステップＳ２６において、制御部１９は、蛍光体１２の回転周波数を電力周波数の整数倍の周波数に変更し、ステップＳ２９に移行する。
【００４６】
制御部１９は、周波数範囲内ではないと判定すると（ステップＳ２５でＮｏ）、ステップＳ２７に移行する。ステップＳ２７において、制御部１９は、決定した回転周波数が、検出した電力周波数の整数倍の周波数以下、かつ電力周波数の整数倍の周波数から２０Ｈｚ以内の周波数範囲内であるか否かを判定する。制御部１９は、周波数範囲内であると判定すると（ステップＳ２７でＹｅｓ）、ステップＳ２８に移行する。ステップＳ２８において、制御部１９は、蛍光体１２の回転周波数を電力周波数の整数倍の周波数から２０Ｈｚ低い周波数未満の周波数に変更し、ステップＳ２９に移行する。制御部１９は、周波数範囲内ではないと判定すると（ステップＳ２７でＮｏ）、ステップＳ２９に移行する。
【００４７】
ステップＳ２９において、制御部１９は、設定された回転周波数で蛍光体１２を回転させる。次に、ステップＳ３０において、制御部１９は、蛍光体１２の回転周波数と光源部１０の駆動電力とに基づく冷却設定で冷却部１４を制御する。制御部１９は、蛍光体１２の回転周波数が初期周波数未満である場合、初期冷却性能より高い冷却性能となるように冷却部１４を制御する。制御部１９は、回転周波数が初期周波数である場合、初期冷却性能となるように冷却部１４を制御する。
【００４８】
続いて、ステップＳ３１において、制御部１９は、光源駆動部１１を制御して取得した駆動電力設定値で光源部１０を点灯させる。そして、ステップＳ３２において、制御部１９は、光源部１０の消灯指示の有無を判定する。制御部１９は、消灯指示がないと判定すると（ステップＳ３２でＮｏ）、ステップＳ２２に移行する。制御部１９は、消灯指示があると判定すると（ステップＳ３２でＹｅｓ）、光源駆動部１１を制御して光源部１０を消灯させ、本処理を終了する。
【００４９】
［第２の実施形態に係る投影装置１の効果］
以上説明したように、投影装置１は、初期周波数以下の回転周波数で蛍光体１２を回転させ、蛍光体１２の回転周波数が初期周波数未満である場合に、より大きな強度で蛍光体１２を冷却する。このようにすることで、投影装置１は、商用電源の電圧リプルの影響に伴うフリッカが人に認識されることを抑制しながら、蛍光体１２を冷却することができる。
【００５０】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００５１】
１  投影装置
１０  光源部
１２  蛍光体
１４  冷却部
１５  投影部
１７  周波数検出部
１８  記憶部
１９  制御部
【図１】
2019148669.tif 000003
【図２】
2019148669.tif 000004
【図３】
2019148669.tif 000005
【図４】
2019148669.tif 000006
【図５】
2019148669.tif 000007
【図６】
2019148669.tif 000008